(57)【要約】【課題】画像再生装置の起動画面をコストをかけずに表現力を高める。【解決手段】画像をハードディスクドライブ１１に記録再生するハードディスクレコーダ１０について、ハードディスクドライブ１１の記録容量の一部を用い、予め起動画面の画像データを記録しておく。装置の起動時には、この画像データを起動画面として再生する。専用の周辺回路を備える必要がなく、再生機能と同様の制御で表現力の高い起動画面を容易に実現できる。【選択図】        図１
2005006185.tif 000002
【特許請求の範囲】
【請求項１】
記録した画像データを出力可能なハードディスクドライブと、
このハードディスクドライブを制御して、前記ハードディスクドライブに記録した画像データを再生するとともに、起動時には前記ハードディスクドライブの一部に記録した所定の画像データを起動画面として再生する制御手段と
を具備したことを特徴とする画像再生装置。
【請求項２】
画像データを入出力可能なハードディスクドライブと、
このハードディスクドライブを制御して、前記ハードディスクドライブに画像データを記録し、記録した画像データを再生するとともに、起動時には前記ハードディスクドライブの一部に記録した所定の画像データを出力して起動画面として再生する制御手段と
を具備したことを特徴とする画像記録再生装置。
【発明の詳細な説明】
【０００１】
【発明の属する技術分野】
本発明は、ハードディスクドライブに記録した画像データを再生する画像再生装置及び画像記録再生装置に関する。
【０００２】
【従来の技術】
従来、ハードディスクドライブに画像データを記録し、また、記録した画像データを再生する画像再生装置が用いられている。また、このような画像再生装置において、装置の起動時すなわち電源投入時に、装置のメーカーのロゴなどのタイトルを表示するロゴ表示機能を備える構成が知られている。
【０００３】
そして、起動画面を表示するために、従来のキャラクタジェネレータを用いる構成（オンスクリーンディスプレイ（ＯＳＤ））では、表現力が乏しく、見映えの向上が困難である問題を有している。一方、グラフィックＩＣやＤＳＰにより画像を生成し、あるいは、パソコンを内蔵してプログラムを実行して画像を生成する構成では、周辺回路が複雑になり、製造コストが上昇する問題を有している。
【０００４】
この点、ハードディスクドライブに多数の音楽ファイルあるいは映画ファイルを記録するとともに、ハードディスクドライブとは別個のコードメモリに、ロゴ音楽及びロゴ画面データを表示する構成が知られている（例えば、特許文献１参照。）。
【０００５】
しかしながら、このようにハードディスクドライブ外のメモリに画像データを記録する構成では、データ量の制限があり、表現力が乏しくなり、また、動画の表示は困難で、静止画に限られる問題を有している。
【０００６】
【特許文献１】
特開２０００−２８５６６０号公報  （第２頁−第４頁、図２）
【０００７】
【発明が解決しようとする課題】
上記のように、グラフィックＩＣやＤＳＰ、あるいはパソコンなどを用いて表現力のある起動画面を表示しようとすると、周辺回路が複雑になり、製造コストが上昇する問題を有している。一方、メモリに記録した画像データを用いる構成では、データ量が制限され、表現力の向上が困難である問題を有している。
【０００８】
本発明は、このような点に鑑みなされたもので、表現力の高い起動画面を容易に表示できる画像再生装置及び画像記録再生装置を提供することを目的とする。
【０００９】
【課題を解決するための手段】
請求項１記載の画像再生装置は、記録した画像データを出力可能なハードディスクドライブと、このハードディスクドライブを制御して、前記ハードディスクドライブに記録した画像データを再生するとともに、起動時には前記ハードディスクドライブの一部に記録した所定の画像データを起動画面として再生する制御手段とを具備したものである。
【００１０】
そして、この構成では、ハードディスクドライブの一部を利用して記録した画像データを起動画面として再生することにより、専用の周辺回路などを備える必要もなく、再生機能と同様の制御で表現力の高い起動画面が容易に実現される。
【００１１】
請求項２記載の画像記録再生装置は、画像データを入出力可能なハードディスクドライブと、このハードディスクドライブを制御して、前記ハードディスクドライブに画像データを記録し、記録した画像データを再生するとともに、起動時には前記ハードディスクドライブの一部に記録した所定の画像データを出力して起動画面として再生する制御手段とを具備したものである。
【００１２】
そして、この構成では、ハードディスクドライブの一部を利用して記録した画像データを起動画面として再生することにより、専用の周辺回路などを備える必要もなく、再生機能と同様の制御で表現力の高い起動画面が容易に実現される。
【００１３】
【発明の実施の形態】
以下、本発明の画像再生装置及び画像記録再生装置の一実施の形態を図面を参照して説明する。
【００１４】
図１において、１０は画像再生装置及び画像記録再生装置としてのデジタル録画機器であるハードディスクレコーダで、このハードディスクレコーダ１０は、複数の画像データ及び音声データを記録及び再生するもので、記録手段であるハードディスクドライブ１１、エンコーダ１４及びデコーダ１５を備えたコーデック１６、及びこれらを制御する制御手段１７などを備えている。そして、コーデック１６は、周波数変換、量子化、符号化を行うもので、周波数変換には、例えば、離散ウェーブレット変換（ＤＷＴ）あるいは離散コサイン変換（ＤＣＴ）などを用い、符号化には、算術符号化などを用いる。また、制御手段１７は、ＣＰＵ、入出力される信号を制御するとともに一時的に記憶するストリームバッファコントローラ、及び、ハードディスクコントローラなどから構成されている。なお、以下、特に説明しないが、画像データとともに、音声データも適宜符号化などされ、画像データとともに記録再生されるものとする。
【００１５】
そして、このハードディスクレコーダ１０は、記録時には、外部から入力した、あるいは内部のチューナなどからの画像データであるＮＴＳＣ方式あるいはＰＡＬ方式などのビデオ（ＴＶ）信号が入力され、このビデオ信号を、コーデック１６のエンコーダ（Ｅｎｃｏｄｅｒ  符号化器）１４で圧縮して符号化し、音声信号などとともにハードディスクドライブ１１の所定の領域に記録する。また、このハードディスクレコーダ１０は、再生時には、ハードディスクドライブ１１の所定の領域から読み出されて出力された信号について、コーデック１６のデコーダ（Ｄｅｃｏｄｅｒ  復合化器）１５で復号化し伸張して、ビデオ信号として再生するようになっている。また、再生時には、使用者の操作などに基づく制御手段１７の制御により、動画の通常再生に加え、動画の１画面すなわち１フレームあるいは１フィールドを静止画として表示し、あるいは、正逆方向のコマ送りなどの特殊再生を行うようになっている。
【００１６】
次に、起動時の初期画面の表示について説明する。なお、ここで、起動時とは、基本的には、電源投入時すなわち電源スイッチが操作されてシステムが始動する状態であるが、既に電源が入った待機状態からの起動（復帰）時や、リセット（再起動）時なども含むものである。
【００１７】
ハードディスクドライブ１１には、初期画面、メニュー画面、エラー画面などの補助画面の画像データが予め記録されている。そして、これら補助画面の画像データが記録された領域以外の領域に、使用者の操作により記録された番組などの画像データ（図中、記録１、記録２、…）が記録される。
【００１８】
そして、制御手段１７は、起動時には、ハードディスクドライブ１１あるいはＲＯＭなどに記録されたプログラムに従い、ハードディスクドライブ１１の所定の領域から機器メーカーのロゴ（タイトル）などの画像データ及び音声データを読み出し、所定の長さの動画の起動画面を表示する。
【００１９】
このように、本実施の形態のハードディスクレコーダ１０によれば、起動画面を表示するいわば機器タイトル（ロゴ）表示装置について、あらかじめハードディスクドライブ１１の一部の領域に保存した内容を再生機能と同様の制御で再生することにより、表現力の高い初期画面を周辺回路のコストをかけずに実現できる。
【００２０】
すなわち、画像データの記録再生に用いる記録手段として搭載されたハードディスクドライブ１１の記憶容量の一部を利用し、通常の画像データの再生に用いる制御で実現できるため、周辺回路を簡略化でき、また、専用の周辺回路及び設計の負担もなく、製造コストを低減できる。
【００２１】
また、表示の内容については、ＭＰＥＧのＩＣなどに依存する構成に比べて、ハードディスクドライブ１１に記録すれば良いため容量をはじめとして何らの制限がなく、独自の表現や機能を容易に実現できる。
【００２２】
すなわち、ＲＯＭなどの外部メモリーに記録したタイトルデータを表示する構成では、データ量に制限があり、静止画が一般的であるが、本実施の形態のように、ハードディスクドライブ１１に記録することにより、事実上制限無く、自由な長さの動画の起動画面を実現できる。
【００２３】
また、グラフィックＩＣなどを用いてタイトルデータを生成する構成では、表現力を多彩にすればするほど、必要な素子が増加し、製造コストが上昇するが、本実施の形態では、記録した画像データを用いることにより、表現力の高いタイトルデータを安価に実現できる。
【００２４】
そして、記録手段としてハードディスクドライブ１１を用いたため、ランダムアクセスが可能であるとともに、デジタル記録の記録容量と価格とのバランスが良好で、本実施の形態の起動画面を表示するいわば機器タイトル（ロゴ）表示装置を容易に実現できる。
【００２５】
なお、上記の実施の形態では、主として家庭などで用いられる動画記録再生用のハードディスクレコーダ１０について説明したが、この構成に限られず、主としてプレゼンテーションに用いられる業務用の画像再生装置や、あるいは、主として静止画の記録再生に用いる記録再生装置など、様々な用途に適用することもできる。そして、起動画面についても、動画の他、静止画を用いることもできる。
【００２６】
また、起動画面の画像データを記録する領域については、この画像データの長さなどにより制御手段１７が適宜の領域を割り当てるようにしても良く、あるいは、予め所定のアドレスを起動画面の画像データを記録する領域として割り当てることもできる。
【００２７】
【発明の効果】
請求項１記載の画像再生装置によれば、ハードディスクドライブの一部を利用して記録した画像データを起動画面として再生することにより、専用の周辺回路などを備える必要もなく、再生機能と同様の制御で表現力の高い起動画面を容易に実現できる。
【００２８】
請求項２記載の画像記録再生装置によれば、ハードディスクドライブの一部を利用して記録した画像データを起動画面として再生することにより、専用の周辺回路などを備える必要もなく、再生機能と同様の制御で表現力の高い起動画面を容易に実現できる。
【図面の簡単な説明】
【図１】本発明の記録再生装置の一実施の形態を示す構成図である。
【符号の説明】
１０    画像再生装置及び画像記録再生装置としてのハードディスクレコーダ
１１    ハードディスクドライブ
１７    制御手段
【図１】
2005006185.tif 000003